【手続補正書】
【提出日】平成17年2月22日(2005.2.22)
【手続補正１】
【補正対象書類名】明細書
【補正対象項目名】発明の名称
【補正方法】変更
【補正の内容】
【発明の名称】記録装置
【手続補正２】
【補正対象書類名】明細書
【補正対象項目名】特許請求の範囲
【補正方法】変更
【補正の内容】
【特許請求の範囲】
【請求項１】
記録ヘッドを用いて記録を行う記録装置であって、
２つのプーリーに架けたベルトを用いて前記記録ヘッドを搭載するキャリッジを走査させる走査手段と、
前記２つのプーリーの駆動源として、一方のプーリーに接続する第１のモータと、他方のプーリーに接続する第２のモータと、
電源から電力供給を受けて前記第１のモータと前記第２のモータを駆動する駆動回路とを備え、
前記駆動回路は、第１トランジスタと第４トランジスタとをプッシュプル接続し、前記第１トランジスタと前記第４トランジスタとの間に前記第１のモータを接続し、第２トランジスタと第３トランジスタとをプッシュプル接続し、前記第２トランジスタと前記第３トランジスタとの間に前記第２のモータを接続し、前記第１トランジスタと前記第１のモータとの接続点と第１抵抗の端子とを接続し、前記第２トランジスタと前記第２のモータとの接続点と前記第１抵抗の他方の端子とを接続し、
前記第３トランジスタと前記第２のモータとの接続点と第２抵抗の端子とを接続し、前記第４トランジスタと前記第１のモータとの接続点と前記第２抵抗の他方の端子とを接続され、前記第１トランジスタと前記第３トランジスタは、前記電源と接続されていることを特徴とする記録装置。
【請求項２】
前記第１のモータの回転子と前記第２のモータの回転子はそれぞれ歯付きベルトとプーリーにより連結されるものであり、前記第１のモータと前記第２のモータのトルクに関する相対位置の関係は１８０度ずれていることを特徴とする請求項１記載の記録装置。
【請求項３】
記録ヘッドを用いて記録を行う記録装置であって、
２つのプーリーの架けたベルトを用いて前記記録ヘッドを搭載するキャリッジを走査させる走査手段と、
前記２つのプーリーの駆動源として、一方のプーリーに接続する第１のモータと、他方のプーリーに接続する第２のモータと、
電源から電力供給をうけて前記第１のモータと前記第２のモータを駆動する駆動回路とを備え、
前記駆動回路は、前記２つのプーリーの駆動源として、一方のプーリーに接続する第１のモータと、他方のプーリーに接続する第２のモータと、電源から電力供給をうけて前記第１のモータと前記第２のモータを駆動する駆動回路とを含み、
NPN型の第１トランジスタとPNP型の第４トランジスタとを前記第１のモータを介して接続し、NPN型の第３トランジスタとPNP型の第２トランジスタとを前記第２のモータを介して接続され、前記第１トランジスタと第２トランジスタの間に第１抵抗を接続し、前記第３トランジスタと第４トランジスタの間に第２抵抗を接続され、前記第１トランジスタのコレクタと前記第３トランジスタのコレクタは、前記電源と接続されていることを特徴とする記録装置。
【請求項４】
記録ヘッドを用いて記録を行う記録装置であって、
２つのプーリーに架けたベルトを用いて前記記録ヘッドを搭載するキャリッジを走査させる走査手段と、
前記２つのプーリーの駆動源として、一方のプーリーに接続する第１のモータと、他方のプーリーに接続する第２のモータと、
電源から電力供給をうけて前記第１のモータと前記第２のモータを駆動する駆動回路と、
前記キャリッジを走査させる場合、前記２つのモータのうち、一方のプーリーを駆動するモータの駆動力が他方のプーリーを駆動するモータの駆動力より大きくなるように制御する制御手段とを備えることを特徴とする記録装置。
【請求項５】
前記制御手段は、前記キャリッジの移動方向に応じて制御することを特徴とする請求項４に記載の記録装置。
【請求項６】
記録ヘッドを用いて記録を行う記録装置であって、
２つのプーリーに架けたベルトを用いて前記記録ヘッドを搭載するキャリッジを走査させる走査手段と、
前記２つのプーリーの駆動源として、一方のプーリーに接続する第１のモータと、他方のプーリーに接続する第２のモータと、
電源から電力供給をうけて前記第１のモータと前記第２のモータを駆動する駆動回路と、
前記キャリッジが一方のプーリーに向かって走査する場合に前記第１のモータの駆動力は前記第２のモータの駆動力より大きくなるように制御し、前記キャリッジが他方のプーリーに向かって走査する場合に前記第２のモータの駆動力は前記第１のモータの駆動力より大きくなるように制御する制御手段とを備えることを特徴とする記録装置。
【手続補正３】
【補正対象書類名】明細書
【補正対象項目名】０００１
【補正方法】変更
【補正の内容】
【０００１】
【発明の属する技術分野】
本発明は、記録ヘッドを用いて被記録材に記録を行う記録装置に関するものであり、特に写真画質の画像を高品質に印字すること且つ印字処理時間を短縮する技術に関するものである。
【手続補正４】
【補正対象書類名】明細書
【補正対象項目名】００１１
【補正方法】変更
【補正の内容】
【００１１】
【課題を解決するための手段】
上記目的を達成するため、本発明の記録装置は、記録ヘッドを用いて記録を行う記録装置であって、２つのプーリーに架けたベルトを用いて前記記録ヘッドを搭載するキャリッジを走査させる走査手段と、前記２つのプーリーの駆動源として、一方のプーリーに接続する第１のモータと、他方のプーリーに接続する第２のモータと、電源から電力供給をうけて前記第１のモータと前記第２のモータを駆動する駆動回路とを備え、前記駆動回路は、第１トランジスタと第４トランジスタとをプッシュプル接続し、前記第１トランジスタと前記第４トランジスタとの間に前記第１のモータを接続し、第２トランジスタと第３トランジスタとをプッシュプル接続し、前記第２トランジスタと前記第３トランジスタとの間に前記第２のモータを接続し、前記第１トランジスタと前記第１のモータとの接続点と第１抵抗の端子とを接続し、前記第２トランジスタと前記第２のモータとの接続点と前記第１抵抗の他方の端子とを接続し、前記第３トランジスタと前記第２のモータとの接続点と第２抵抗の端子とを接続し、前記第４トランジスタと前記第１のモータとの接続点と前記第２抵抗の他方の端子とを接続され、前記第１トランジスタと前記第３トランジスタは、前記電源と接続されている。本発明の別の記録装置は、記録ヘッドを用いて記録を行う記録装置であって、２つのプーリーの架けたベルトを用いて前記記録ヘッドを搭載するキャリッジを走査させる走査手段と、前記２つのプーリーの駆動源として、一方のプーリーに接続する第１のモータと、他方のプーリーに接続する第２のモータと、電源から電力供給を受けて前記第１のモータと前記第２のモータを駆動する駆動回路とを備え、前記駆動回路は、前記２つのプーリーの駆動源として、一方のプーリーに接続する第１のモータと、他方のプーリーに接続する第２のモータと、電源から電力供給をうけて前記第１のモータと前記第２のモータを駆動する駆動回路とを含み、NPN型の第１トランジスタとPNP型の第４トランジスタとを前記第１のモータを介して接続し、NPN型の第３トランジスタとPNP型の第２トランジスタとを前記第２のモータを介して接続され、前記第１トランジスタと第２トランジスタの間に第１抵抗を接続し、前記第３トランジスタと第４トランジスタの間に第２抵抗を接続され、前記第１トランジスタのコレクタと前記第３トランジスタのコレクタは、前記電源と接続されている。本発明の別の記録装置は、記録ヘッドを用いて記録を行う記録装置であって、２つのプーリーに架けたベルトを用いて前記記録ヘッドを搭載するキャリッジを走査させる走査手段と、前記２つのプーリーの駆動源として、一方のプーリーに接続する第１のモータと、他方のプーリーに接続する第２のモータと、電源から電力供給をうけて前記第１のモータと前記第２のモータを駆動する駆動回路と、前記キャリッジを走査させる場合、前記２つのモータのうち、一方のプーリーを駆動するモータの駆動力が他方のプーリーを駆動するモータの駆動力より大きくなるように制御する制御手段とを備える。本発明の別の記録装置は、記録ヘッドを用いて記録を行う記録装置であって、２つのプーリーに架けたベルトを用いて前記記録ヘッドを搭載するキャリッジを走査させる走査手段と、前記２つのプーリーの駆動源として、一方のプーリーに接続する第１のモータと、他方のプーリーに接続する第２のモータと、電源から電力供給をうけて前記第１のモータと前記第２のモータを駆動する駆動回路と、前記キャリッジが一方のプーリーに向かって走査する場合に前記第１のモータの駆動力は前記第２のモータの駆動力より大きくなるように制御し、前記キャリッジが他方のプーリーに向かって走査する場合に前記第２のモータの駆動力は前記第１のモータの駆動力より大きくなるように制御する制御手段とを備える。